(57)【要約】【課題】人が集まるローカルなエリアなどで、これらの人が利用する携帯型の再生装置で再生されている楽曲などの聴覚情報やまた映像なども含む個別情報のタイトルに係る信号を送信し、リアルタイムに再生されている聴覚情報、個別情報を収集するワイヤレスヘッドセットおよびコンテンツ情報収集システムを提供する。【解決手段】このワイヤレスヘッドセット１０は、聴覚情報を再生する再生装置１３に接続または内蔵され、再生装置１３が再生している聴覚情報に係る信号を送る再生信号送信部２２と聴覚情報のタイトルに係る信号を送るタイトル送信部２８とを備えるワイヤレスアダプタ１１と、ワイヤレスアダプタ１１から送られた聴覚情報を受信し、聴くために用いられるワイヤレスヘッドホン１２とから構成される。【選択図】図５
2007233741.tif 000002
【特許請求の範囲】
【請求項１】
聴覚情報の再生装置が再生する前記聴覚情報に係る信号を入力して送る聴覚情報送信手段と、前記聴覚情報のタイトルに係る信号を入力して送るタイトル送信手段とを有するワイヤレスアダプタと、
前記ワイヤレスアダプタから送られた前記聴覚情報を受信し音として出力するワイヤレスヘッドホンと、
を備えることを特徴とするワイヤレスヘッドセット。
【請求項２】
前記タイトル送信手段は、前記タイトルに係る信号に、装置識別ＩＤに係る信号を付加して送ることを特徴とする請求項１記載のワイヤレスヘッドセット。
【請求項３】
聴覚情報の再生装置が再生する前記聴覚情報に係る信号を入力して送る聴覚情報送信手段と、前記聴覚情報のタイトルに係る信号を入力して送るタイトル送信手段とを有するワイヤレスアダプタと、
前記ワイヤレスアダプタから送られた前記聴覚情報を受信し音として出力するワイヤレスヘッドホンと、
特定の範囲内にある前記ワイヤレスアダプタの前記タイトル送信手段によって送られた前記タイトルに係る信号を受信する少なくとも１つのタイトル受信手段と、
前記タイトル受信手段によって受信された前記タイトルに係る信号に基づいて、前記特定の範囲内で前記再生装置が再生する前記聴覚情報の集計を行う集計手段と、
を備えることを特徴とするコンテンツ情報収集システム。
【請求項４】
前記タイトル送信手段は、前記タイトルに係る信号に装置識別ＩＤに係る信号を付加して送り、
前記タイトル受信手段は、前記タイトルに係る信号とともに前記装置識別ＩＤに係る信号を受信し、
前記集計手段は、特定の装置識別ＩＤに基づいて集計を行う、
ことを特徴とする請求項３記載のコンテンツ情報収集システム。
【請求項５】
１つのタイトル受信手段で受信した信号は、少なくとも１つの他の前記タイトル受信手段に転送され、前記他の前記タイトル受信手段を介して前記集計手段に送られることを特徴とする請求項３または４記載のコンテンツ情報収集システム。
【請求項６】
前記聴覚情報は、音楽、ニュースまたは講座であることを特徴とする請求項３載のコンテンツ情報収集システム。
【発明の詳細な説明】
【技術分野】
【０００１】
本発明は、ワイヤレスヘッドセットおよびコンテンツ情報収集システムに関し、特に、再生装置で再生している楽音などを聴くとともにその楽音などのタイトルに係る信号を送信するワイヤレスヘッドセットと、送信したタイトルに係る信号に基づいて再生装置で再生している聴覚情報、個別情報のタイトルを収集するコンテンツ情報収集システムに関する。
【背景技術】
【０００２】
近年、外出先で歩行しながら音楽を楽しむことができる小型で携帯型の再生装置が開発され、多くの人に利用されている。それらの再生装置で聴かれている楽曲がどのようなものであるのか、という情報は、音楽業界のみならず、様々な業界で重要な情報となる。また、音楽を楽しむ個人にとっても、流行っている楽曲がどのようなものか知ることは、非常に楽しいことである。また、若者が集まる街や中高年の集まる街では、流行る楽曲も異なってくる可能性があり、その地域毎での流行る楽曲についての情報も、例えば商店街の人たちにとっては、街を活性化させるための情報として有用な情報となると思われる。
【０００３】
再生装置で再生された楽曲などの再生実績を記録する装置と、個々の再生装置での再生実績を集計処理する装置は、特許文献１において提案されている。
【特許文献１】特開２００１−３１２４７３号公報
【発明の開示】
【発明が解決しようとする課題】
【０００４】
特許文献１で開示される楽曲などの再生実績を記録する装置と、個々の再生装置での再生実績を集計処理する装置は、個々の再生装置で、楽曲などの記録された媒体の再生が行われた記録（再生実績）がなされる。そして、集計装置により複数の装置から通信網で送られた再生実績を集計処理する。それゆえ、再生装置が再生しているときの楽曲についての情報をリアルタイムに集計しているわけではない。現在流行っている楽曲が何か、という情報は、早ければ早いほど、種々の業界、個人にとって有用な情報となる。しかしながら、従来のものでは、そのような条件を満たしていなかった。また、従来のものでは、どこに再生装置があるかについての情報を把握する仕組みのある装置ではないので、地域毎でどのような楽曲が流行っているかについての情報も集計することはできなかった。さらに、人が集まりやすい比較的に狭い局所的な地域（特定なローカルエリア）などでの集計情報を迅速に集計するという仕組みも今まで存在しなかった。
【０００５】
本発明の目的は、上記の課題に鑑み、人が集まるローカルなエリアなどで、これらの人が利用する携帯型の再生装置で再生されている楽曲などの聴覚情報や映像なども含む個別情報のタイトルに係る信号を送信し、リアルタイムに再生されている聴覚情報、個別情報を収集することができるワイヤレスヘッドセットおよびコンテンツ情報収集システムを提供することにある。
【課題を解決するための手段】
【０００６】
本発明に係るワイヤレスヘッドセットおよびコンテンツ情報収集システムは、上記目的を達成するために、次のように構成される。
【０００７】
第１のワイヤレスヘッドセット（請求項１に対応）は、聴覚情報を再生する再生装置に接続または内蔵され、当該再生装置が再生している聴覚情報に係る信号を入力して送る聴覚情報送信手段と聴覚情報のタイトルに係る信号を入力して送るタイトル送信手段とを備えるワイヤレスアダプタと、ワイヤレスアダプタから送られた聴覚情報を受信し音として出力するワイヤレスヘッドホンとを備えて構成される。
【０００８】
上記のワイヤレスヘッドセットでは、聴覚情報送信機能とタイトル送信機能とを備えるワイヤレスアダプタと、ワイヤレスアダプタから送られた聴覚情報を受信するワイヤレスヘッドホンとにより、再生装置によって再生される楽曲、ニュース、講座などの聴覚情報を聴くことができ、リアルタイムに再生装置で再生されている聴覚情報のタイトルを収集することが可能となる。
【０００９】
第２のワイヤレスヘッドセット（請求項２に対応）は、上記の構成において、好ましくは、タイトル送信手段は、タイトルに係る信号に、装置識別ＩＤに係る信号を付加して送ることで特徴づけられる。
【００１０】
第１のコンテンツ情報収集システム（請求項３に対応）は、聴覚情報を再生する再生装置に接続または内蔵され、再生装置が再生している聴覚情報に係る信号を入力して送る聴覚情報送信手段と聴覚情報のタイトルに係る信号を送るタイトル送信手段とを備えるワイヤレスアダプタと、ワイヤレスアダプタから送られた聴覚情報を受信し、聴くための音を出力するワイヤレスヘッドホンと、特定の範囲内にあるワイヤレスアダプタのタイトル送信手段によって送られたタイトルに係る信号を受信する少なくとも１つのタイトル受信手段と、タイトル受信手段によって受信されたタイトルに係る信号に基づいて、特定の範囲内で再生装置が再生している聴覚情報の集計を行う集計手段とを備える。
【００１１】
第２のコンテンツ情報収集システム（請求項４に対応）は、上記の構成において、好ましくは、タイトル送信手段は、タイトルに係る信号に装置識別ＩＤに係る信号を付加して送り、タイトル受信手段は、タイトルに係る信号とともに装置識別ＩＤに係る信号を受信し、集計手段は、特定の装置識別ＩＤに基づいて集計を行うことで特徴づけられる。
【００１２】
第３のコンテンツ情報収集システム（請求項５に対応）は、上記の構成において、好ましくは、１つのタイトル受信手段で受信した信号は、少なくとも１つの他のタイトル受信手段に転送され、他の前記タイトル受信手段を介して集計手段に送られることで特徴づけられる。
【００１３】
第４のコンテンツ情報収集システム（請求項６に対応）は、上記の構成において、好ましくは、聴覚情報は、音楽、ニュースまたは講座である。
【発明の効果】
【００１４】
本発明によれば、聴覚情報を再生する再生装置に対して聴覚情報送信手段とタイトル送信手段を備えるワイヤレスアダプタを付加し、ワイヤレスアダプタからワイヤレスヘッドホンに聴覚情報に係る信号を供給するようにしたため、再生装置によって再生される楽曲、ニュース、講座などの聴覚情報をワイヤレスヘッドホンによって聴くことができ、ワイヤレスアダプタから再生装置で再生されている聴覚情報のタイトルに係る信号が送信されるため、タイトル情報を収集することができる。それにより、リアルタイムに再生装置で再生されている聴覚情報のタイトルを収集することができる。
【００１５】
また本発明によれば、聴覚情報を再生する再生装置が再生している個別情報のタイトルに係る信号を、タイトル送信手段およびタイトル受信手段によって集計手段に供給し、個別情報の集計を行うようにしたため、所定のローカルなエリア内で再生されている聴覚情報のタイトルをリアルタイムにて集計することができる。
【００１６】
さらに本発明によれば、タイトルに係る信号に装置識別ＩＤに係る信号を付加して送って特定のＩＤに基づいて集計するようにしたため、個別情報や聴覚情報を再生している装置についての情報も得ることができる。
【発明を実施するための最良の形態】
【００１７】
以下に、本発明の好適な実施形態（実施例）を添付図面に基づいて説明する。
【００１８】
図１は本発明に係るワイヤレスヘッドセットの構成を示す。ワイヤレスヘッドセット１０は、ワイヤレスアダプタ１１とワイヤレスヘッドホン１２とから構成されている。
【００１９】
ワイヤレスアダプタ１１は、楽曲、ニュース、講座などの聴覚情報を再生する再生装置１３に対して電気的接続関係に基づいて接続される。再生装置１３に電気的に接続されたワイヤレスアダプタ１１は、再生装置１３がその出力ポートから出力する聴覚覚情報に係る信号を入力し、さらに無線１８によってワイヤレスヘッドホン１２に送る。また、ワイヤレスアダプタ１１は、再生装置１３が再生する聴覚情報に付されたタイトルに係る信号を、無線１９で送信することができるようにも構成されている。
【００２０】
他方、ワイヤレスヘッドホン１２は、コントローラ１４と、コード１５でコントローラ１４に接続されたイヤホン１６，１７とからなっている。コントローラ１４は、再生装置で再生する聴覚情報の選択と、再生開始・再生停止の各コマンドを無線１８でワイヤレスアダプタ１１に送る。またコントローラ１４は、ワイヤレスアダプタ１１が無線１８で送信する、再生装置１３が再生する聴覚情報に係る信号を受信し、コントローラ１４にコード１５で接続されたイヤホン１６，１７から聴覚情報を音声で出力する。コントローラ１４は、音量調整部（５８：図４参照）を備えており、イヤホン１６，１７から出力される音量を調整することができる。
【００２１】
コントローラ１４とワイヤレスアダプタ１１が無線接続可能な距離にあるとき、コントローラ１４とワイヤレスアダプタ１１は、任意または自動で接続処理が行われる。その状態で、利用者は、コントローラ１４から聴覚情報の選択と再生開始のコマンドをワイヤレスアダプタ１１に無線１８で送信する。ワイヤレスアダプタ１１は、送られた聴覚情報の選択と再生開始のコマンドを受信し、そのコマンドを解釈し、再生装置１３に対して選択、再生開始の指示を送る。再生装置１３は選択された聴覚情報の再生を開始し、ワイヤレスアダプタ１１は、その再生開始された聴覚情報をコントローラ１４に無線１８で送信する。コントローラ１４は、ワイヤレスアダプタ１１から送信された聴覚情報を受信し、音量調整部で適当な音量にしてイヤホン１６，１７から音声で出力する。それにより、利用者は、再生装置１３で再生される楽曲などの聴覚情報を聴くことができる。また、ワイヤレスアダプタ１１は、後述のタイトル受信機（６１：図５参照）と無線接続可能な距離にあるとき、自動的に接続処理を行い、再生装置１３が再生している聴覚情報のタイトルと装置を識別するＩＤ（個別ＩＤ）を無線１９でタイトル受信機６１に送信する。
【００２２】
図２は、ワイヤレスアダプタ１１に設けられる内部機能を示す機能ブロック図である。ワイヤレスアダプタ１１は、再生信号受信部２０およびＡＤ変換部２１および再生信号送信部２２と、コマンド受信部２３およびコマンド送信部２５と、コントローラ接続処理部２６とを備えている。また、ワイヤレスアダプタ１１は、タイトル信号受信部２７とタイトル信号送信部２８とＩＤ記憶部２９とタイトル受信機接続処理部３０を備えている。さらに、ワイヤレスアダプタ１１は各機能部の動作を制御する制御部３１を備えている。
【００２３】
再生信号受信部２０は、再生装置１３からの出力ポートから出力される聴覚情報を再生したときの再生信号を受信する。ＡＤ変換部２１は、再生信号受信部２０から出力されるアナログ信号である再生信号をデジタル信号からなる再生信号に変換する。再生信号送信部２２は、ＡＤ変換部２１でデジタル信号に変換された再生信号を無線１８によりワイヤレスヘッドホン１２のコントローラ１４に送信する。
【００２４】
コマンド受信部２３は、ワイヤレスヘッドホン１２のコントローラ１４から無線１８で送られてくる、再生装置１３で再生する聴覚情報の選択に係る信号と、再生開始・再生停止の各コマンドに係る信号と、を受信する。コマンド送信部２５は、各コマンドに係る信号を制御部３１により解釈し、再生装置１３に選択、再生開始、再生停止のうち対応するコマンドを送信し、再生装置１３を操作する。
【００２５】
コントローラ接続処理部２６は、コントローラ１４とワイヤレスアダプタ１１が無線接続可能な距離になると、制御部３１を動作させ、再生信号受信部２０とＡＤ変換部２１と再生信号送信部２２とコマンド受信部２３とコマンド送信部２５の動作させ、コントローラ１４からの各コマンドの受信可能状態となり、また再生信号送信可能な状態とする。
【００２６】
タイトル信号受信部２７は、再生装置１３に再生開始コマンドを送ることにより聴覚情報の再生を開始したときに、再生装置１３から取得されるその聴覚情報のタイトルに係る信号を受信する。ＩＤ記憶部２９は個別ＩＤを記憶している。タイトル信号送信部２８は、タイトル信号受信部２７から出力されたタイトルに係る信号と個別ＩＤを無線１９で後述のタイトル受信機（６１：図５参照）に送信する。
【００２７】
タイトル受信機接続処理部３０は、後述のタイトル受信機とワイヤレスアダプタ１１とが無線接続可能な距離になると、制御部３１を動作させ、タイトル信号受信部２７、タイトル信号送信部２８、ＩＤ記憶部２９の各々を動作をさせ、タイトル信号送信部２８からのタイトル信号送信が可能な状態とする。
【００２８】
図３は、ワイヤレスアダプタ１１の内部のハードウェア的な構成を示す図である。ワイヤレスアダプタ１１は、再生装置インタフェース部４０とＡＤコンバータ４１と通信部４２とアンテナ４３と制御部４４とメモリ４５とから構成されている。ワイヤレスアダプタ１１は、この構成に基づいて、図２で説明した各機能部を実現する。再生装置インタフェース部４０は、再生装置１３との通信インタフェースに準じた変換を行い、再生装置１３とワイヤレスアダプタ１１との信号のやり取りを可能にするためのものである。ＡＤコンバータ４１は、再生装置インタフェース部４０からの聴覚情報などに係るアナログ信号をデジタルデータに変換する。通信部４２は、ワイヤレスヘッドホン１２とのコマンドの無線通信の送受信、および聴覚情報に係るデータをワイヤレスヘッドホン１２に送信する。さらに、後述の受信機との間でコマンドの無線通信の送受信を行う。制御部４４は、通信部４２が受信したコマンドを解釈し、再生装置インタフェース部４０を介して再生装置を操作する。また、ＡＤコンバータ４１で作成された聴覚情報に係るデジタルデータを通信プロトコルに準拠し変換し、通信部４２に送る。また、メモリ４５に保持している個別ＩＤと再生装置１３を操作することで取得したタイトル（楽曲情報）に係る信号を通信部４２を介して受信機に送信する。通信部４２にはアンテナ４３が装備されている。当該通信部４２は、ブルートゥース通信などの狭域無線通信を行える機能を有している。ここで「狭域無線通信」とは、例えば半径１０ｍ程度の範囲における通信を想定している。また、他の通信技術である無線ＬＡＮ、ＺｉｇＢｅｅ、ＵＷＢを用いることも可能である。
【００２９】
このワイヤレスアダプタ１１では、図１で示したコントローラ１４とワイヤレスアダプタ１１が無線接続可能な距離になると、制御部４４は、コントローラ１４との接続処理を行う。その状態で、コントローラ１４からの選択、再生開始のコマンドを通信部４２により受信すると、制御部４４は、コマンドを解釈し、再生装置インタフェース部４０を介して再生装置１３を操作し、再生装置１３は、選択された聴覚情報を再生する。再生されている聴覚情報は、再生装置インタフェース部４０を介して、ＡＤコンバータ４１に送られる。ＡＤコンバータ４１では、アナログ信号をデジタル信号に変換し、通信部４２からアンテナ４３を介して送信する。また制御部４４は、メモリ４５に格納される個別ＩＤと再生装置１３とを操作することで、取得したタイトル（楽曲情報）を通信部４２を介して受信機に送信する。
【００３０】
図４は、ワイヤレスヘッドホン１０のコントローラ１４の内部機能を示す機能ブロック図である。コントローラ１４は、再生信号受信部５０およびＤＡ変換部５１およびＬ／Ｒ分離部５２と、スイッチ５３およびコマンド信号生成部５４およびコマンド信号送信部５５と、接続処理部５６および制御部５７とを備えている。また、コントローラ１４は、音量調整部５８を備えている。再生信号受信部５０は、ワイヤレスアダプタ１１から無線１８で送られる再生信号を受信する。ＤＡ変換部５１は、再生信号受信部５０から出力されるデジタル信号形式の再生信号をアナログ信号形式の再生信号に変換する。Ｌ／Ｒ分離部５２は、ＤＡ変換部５１から出力される再生信号を左側再生信号と右側再生信号に分離し、それぞれの信号を出力する。音量調整部５８は、Ｌ／Ｒ分離部５２から出力される信号のレベルを調整し、イヤホン１６，１７から出力される音量を調整する。スイッチ５３は、再生装置１３で再生する聴覚情報の選択、再生開始、再生停止を指示するスイッチである。コマンド信号生成部５４は、スイッチ５３で指示した選択、再生開始、再生停止のそれぞれに対応するコマンド信号を生成する。コマンド信号送信部５５は、コマンド信号生成部５４で生成されるコマンド信号をワイヤレスアダプタ１１に無線１８で送信する。接続処理部５６は、ワイヤレスアダプタ１１とコントローラ１４が無線接続可能な距離になると、制御部５７を動作させ、各機能部を動作可能状態にする。制御部５７は、各機能部の動作を制御する。
【００３１】
次に、図５に、本発明の実施形態に係るコンテンツ情報収集システムの全体的構成を示す。このコンテンツ情報収集システム６０は、ワイヤレスアダプタ１１とワイヤレスヘッドホン１２とタイトル受信機６１と集計システム６２とで構成されている。このコンテンツ情報収集システムは、人が集まりやすい例えば特定なローカルエリアでの楽曲情報収集システムである。しかし、本発明に係るコンテンツ情報収集システムは、楽曲情報収集システムには限定されない。
【００３２】
ワイヤレスアダプタ１１は、図１〜図３で示したものと同様のものであり、聴覚情報を再生する再生装置１３に接続される。なお図５の構成では、再生装置１３に対してワイヤレスアダプタ１１を別体のものとして構成しているが、再生装置１３の内部にワイヤレスアダプタ１１を組み込み、内蔵型再生装置として一体物として構成することもできる。ワイヤレスアダプタ１１は、再生装置が再生している聴覚情報に係る信号を送る聴覚情報送信部（再生信号送信部）と、聴覚情報のタイトルに係る信号を送るタイトル信号送信部とを備えている。ワイヤレスヘッドホン１２も、図１と図４で示したものと同様であり、再生装置１３に接続されたワイヤレスアダプタ１１から無線１８で送られた聴覚情報を受信し、聴くために用いられる。タイトル受信機６１は、特定の範囲６３内にあるワイヤレスアダプタ１１のタイトル信号送信部２８によって無線１９で送られたタイトルに係る信号を受信する。集計システム６２は、タイトル受信機によって受信されたタイトルに係る信号に基づいて、特定の範囲（エリア）６３内で再生装置１３が再生している聴覚情報の集計を行う。上記の特定の範囲６３は、再生装置１３を利用する多くの人が集まる任意のローカル（相対的に狭域）なエリアである。
【００３３】
図６は、タイトル受信機６１の内部機能を示す機能ブロック図である。タイトル受信機６１は、タイトル信号受信部７０とタイトル信号送信部７１と接続処理部７２と制御部７３と位置情報記憶部７４を備えている。タイトル信号受信部７０は、ワイヤレスアダプタ１１から無線１９で送られるタイトル信号と個別ＩＤに係る信号を受信する。タイトル信号送信部７１は、タイトル信号受信部７０で受信したタイトル信号と個別ＩＤと位置情報記憶部７４に記憶されているタイトル受信機の位置情報を集計システム６２の送信する。接続処理部７２は、ワイヤレスアダプタ１２とタイトル受信機６１が無線接続可能な距離になったとき、制御部７３を動作させ、タイトル信号受信部７０とタイトル信号送信部７１を動作可能状態にする。
【００３４】
このコンテンツ情報収集システム６０は、例えば、再生装置１３として携帯音楽再生装置を持つ人が集まる場所（範囲６３）内に、タイトル受信機６１を設置する。そして、集計システム６２は、範囲６３で聴かれている楽曲ランキングを集計する。その集計データは、楽曲会社、楽曲ダウンロード会社がランキング情報をマーケット情報、販売促進ツールとして使用することができる。
【００３５】
図７は、本実施形態に係るコンテンツ情報収集システム６０の動作手順の一例を示す図である。ワイヤレスヘッドホン１２と再生装置１３に装着されているワイヤレスアダプタ１１は、無線接続可能な距離にあるときに、任意または自動で接続処理が行われる（ステップＳ１１）。ワイヤレスヘッドホン１２の再生開始の操作で、ワイヤレスヘッドホン１２は、再生開始コマンドをワイヤレスアダプタ１１に送信する（ステップＳ１２）。ワイヤレスアダプタ１１は、受信した再生開始コマンドを解釈し、再生装置１３に対して再生開始の指示を送る。再生装置１３は再生を開始し、ワイヤレスアダプタ１１は、再生装置１３から音楽などの聴覚情報をワイヤレスヘッドホン１２に送信する（ステップＳ１３）。また、ワイヤレスアダプタ１１は、無線接続可能な距離にあるタイトル受信機６１と自動的に接続処理を行い（ステップＳ１４）、再生装置１３から取り出したタイトル（楽曲情報）とメモリに保持している個別ＩＤをタイトル受信機６１に送信する（ステップＳ１５）。送信が終了すると切断処理を行い受信機と接続を終了する（ステップＳ１６）。タイトル受信機６１は受信した楽曲情報、個別ＩＤと、受信機自身が保持している位置情報を集計システムに送信する（ステップＳ１７）。集計システム６２はタイトル受信機６１から集まった情報を管理、集計する。このように、範囲６３内で再生されている聴覚情報のタイトルをリアルタイムに収集し、集計することができる。また、収集された情報には、タイトル受信機６１の位置情報が含まれるので、その位置情報に基づいて収集したエリアも特定できる。さらに、収集された情報には、個別ＩＤも含まれるので、聴覚情報を再生している装置についての情報も得ることができ、範囲６３と装置を含めた集計をすることができる。なお、利用者の属性とともに、予め集計システム６２のデータベースなどに個別ＩＤを登録しておくことで、登録された個別ＩＤを持つ再生装置からの再生している聴覚情報のタイトルのみを集計するようにすることもできる。利用者の属性に関係させて集計を行う場合には、事前に利用者の属性情報を登録しておくことが望ましい。
【００３６】
次に図８を参照して、本発明に係るコンテンツ情報収集システムの他の実施形態について説明する。図８はコンテンツ情報収集システムの全体的構成を示し、図５に類似する図である。このコンテンツ情報収集システム８０は、ワイヤレスアダプタ１１とワイヤレスヘッドホン１２とタイトル受信機６１，６４，６５，６６と集計システム６２とを備えている。このコンテンツ情報収集システムでは、範囲８１において、図５および図６で示したものと同様の構造・機能を有する複数のタイトル受信機を備えている。
【００３７】
上記の範囲８１に配置されたタイトル受信機６１，６４，６５，６６のそれぞれには狭域無線通信用の通信部（タイトル信号受信部７０とタイトル信号送信部７１）を内蔵しており、隣接するタイトル受信機同士の間で相互に無線で通信を行い、１つのタイトル受信機で受信したタイトルに係る信号を送受するように構成されている。従って、例えばいずれか１つのタイトル受信機で受信されたタイトルに係る信号は、当該タイトル受信機から隣接するタイトル受信機で次々にリレー式に送受信され、最終的に集計システム６２に供給される。
【００３８】
上記の狭域無線通信機能を有する通信部に基づく無線通信によってタイトル受信機６１，６４，６５，６６の間においてリレー的に通信を行い、ワイヤレスアダプタ１１からの信号を集計システム６２まで伝送して、この集計システム６２で範囲８１での集計ができるように構成することが可能となる。
【００３９】
図９は、コンテンツ情報収集システム８０の動作手順の一例を示す図である。ワイヤレスヘッドホン１２と再生装置１３に装着されているワイヤレスアダプタ１１は、無線接続可能な距離にあるときに、任意または自動で接続処理が行われる（ステップＳ２１）。ワイヤレスヘッドホン１２の再生開始の操作で、ワイヤレスヘッドホン１２は、再生開始コマンドをワイヤレスアダプタ１１に無線１８で送信する（ステップＳ２２）。ワイヤレスアダプタ１１は、受信した再生開始コマンドを解釈し、再生装置１３に対して再生開始の指示を送る。再生装置１３は再生を開始し、ワイヤレスアダプタ１１は、再生装置から音楽をワイヤレスヘッドホン１２に無線１８で送信する（ステップＳ２３）。また、ワイヤレスアダプタ１１は、無線接続可能な距離にあるタイトル受信機６１と自動的に接続処理を行い（ステップＳ２４）、再生装置１３から取り出したタイトル（楽曲情報）とメモリに保持している個別ＩＤをタイトル受信機６１に無線１９で送信する（ステップＳ２５）。送信が終了すると切断処理を行い受信機と接続を終了する（ステップＳ２６）。タイトル受信機６１は受信した楽曲情報、個別ＩＤと、タイトル受信機６１自身が保持している位置情報を集計システム６２に送信する。このとき、通信部に基づく無線２０，２１による通信によってタイトル受信機６１，６４，６５の間においてリレー的に通信を行い、ワイヤレスアダプタ１１からの信号を集計システム６２まで伝送する（ステップＳ２７，ステップＳ２８、ステップＳ２９）。集計システム６２は各タイトル受信機から集まった情報を管理、集計する。このように、エリア内で再生されている聴覚情報のタイトルをリアルタイムに収集し、集計することができる。また、収集された情報には、タイトル受信機６１の位置情報が含まれるので、その位置情報に基づいて収集したエリアも特定できる。さらに、収集された情報には、個別ＩＤも含まれるので、聴覚情報を再生している装置についての情報も得ることができ、エリアと装置を含めた集計をすることができる。また、あらかじめ集計システムに個別ＩＤを登録しておくことで、登録された個別ＩＤを持つ装置からの再生している聴覚情報のタイトルのみを集計するようにすることもできる。
【００４０】
なお、上記の各実施形態では、再生装置で再生する情報として聴覚情報を用いて説明したが、それに限定されず、映像情報を含む個別情報を用いることもできる。
【００４１】
以上の実施形態で説明された構成、形状、大きさおよび配置関係については本発明が理解・実施できる程度に概略的に示したものにすぎない。従って本発明は、説明された実施形態に限定されるものではなく、特許請求の範囲に示される技術的思想の範囲を逸脱しない限り様々な形態に変更することができる。
【産業上の利用可能性】
【００４２】
本発明は、携帯型の再生装置で再生されている楽曲などの個別情報を収集するシステムとして利用される。
【図面の簡単な説明】
【００４３】
【図１】本発明に係るワイヤレスヘッドセットの全体的構成を示す図である。
【図２】本発明に係るワイヤレスヘッドセットのワイヤレスアダプタの機能ブロック図である。
【図３】本発明に係るワイヤレスヘッドセットのワイヤレスアダプタの内部構成を示す図である。
【図４】本発明に係るワイヤレスヘッドセットのワイヤレスヘッドホンのコントローラの機能ブロック図である。
【図５】本発明に係るコンテンツ情報収集システムの全体的構成を示す図である。
【図６】本発明に係るコンテンツ情報収集システムのタイトル受信機の機能ブロック図である。
【図７】本発明に係るコンテンツ情報収集システムの動作手順の一例を示す図である。
【図８】本発明に係るコンテンツ情報収集システムの別の全体的構成を示す図である。
【図９】本発明に係るコンテンツ情報収集システムの動作手順の一例を示す図である。
【符号の説明】
【００４４】
１０      ワイヤレスヘッドセット
１１      ワイヤレスアダプタ
１２      ワイヤレスヘッドホン
１３      再生装置
１４      コントローラ
１５      コード
１６      イヤホン
１７      イヤホン
２０      再生信号受信部
２１      ＡＤ変換部
２２      再生信号送信部
２３      コマンド受信部
２５      コマンド送信部
２６      コントローラ接続処理部
２７      タイトル信号受信部
２８      タイトル信号送信部
２９      ＩＤ記憶部
３０      タイトル受信機接続処理部
３１      制御部
【図１】
2007233741.tif 000003
【図２】
2007233741.tif 000004
【図３】
2007233741.tif 000005
【図４】
2007233741.tif 000006
【図５】
2007233741.tif 000007
【図６】
2007233741.tif 000008
【図７】
2007233741.tif 000009
【図８】
2007233741.tif 000010
【図９】
2007233741.tif 000011